(57)【要約】【課題】光ディスク再生装置において、イコライザによる読取信号の波形等化処理を最適化することができる。【解決手段】光ディスク再生装置は、光ディスクからの情報の読取動作中に、所定アドレス分の情報を読取る毎に（＃１１でＹＥＳ）、光ディスクの回転がＣＬＶ回転の場合に（＃３でＹＥＳ）、イコライザのブースト量を幾つかの値に変化させて、ジッタ値及びブロックエラーレートを測定し（＃５）、これら測定したジッタ値及びブロックエラーレートが最適となるブースト量に設定し（＃６）、光ディスクの回転がＣＡＶ回転の場合に（＃３でＮＯ）、ブースト量の設定に加え、イコライザのカットオフ周波数を幾つかの値に変化させて、ジッタ値及びブロックエラーレートを測定し（＃８）、これら測定したジッタ値及びブロックエラーレートが最適となるカットオフ周波数に設定する（＃９）。【選択図】図２
2006236458.tif 000002
【特許請求の範囲】
【請求項１】
光ディスクが装着され該光ディスクを回転させるスピンドルモータと、前記スピンドルモータにより回転される光ディスクに光を照射して該光ディスクからの反射光を受光することで光ディスクから情報を読取り、その受光強度に応じた電圧レベルの読取信号を出力する光ヘッドと、前記光ヘッドから出力される読取信号をブーストすると共に該読取信号に含まれるノイズ周波数成分をカットオフして該読取信号の波形を等化するイコライザと、前記イコライザにより波形が等化された後の読取信号に含まれる誤りを検出して、その誤りを訂正するエラー訂正手段と、前記イコライザにより波形が等化された後の読取信号のジッタ値を測定するジッタ値測定手段と、前記エラー訂正手段による誤り検出率を測定するエラーレート測定手段と、前記ジッタ値測定手段により測定したジッタ値及び前記エラーレート測定手段により測定した誤り検出率を基に、前記イコライザのブースト量及びカットオフ周波数を可変設定するイコライザ設定手段と、前記スピンドルモータによる光ディスクの回転が、光ディスクの前記光ヘッドによる情報読取位置での回転線速度が一定であるＣＬＶ回転、又は、光ディスクの回転角速度が一定であるＣＡＶ回転となるように制御するディスク回転制御手段とを備えた光ディスク再生装置において、
前記イコライザ設定手段は、
前記イコライザのブースト量を幾つかの値に変化させて、前記ジッタ値測定手段によりジッタ値を測定すると共に前記エラーレート測定手段により誤り検出率を測定し、これら測定したジッタ値及び誤り検出率を基に前記イコライザのブースト量を最適な値に設定するブースト量設定手段と、
前記イコライザのカットオフ周波数を幾つかの値に変化させて、前記ジッタ値測定手段によりジッタ値を測定すると共に前記エラーレート測定手段により誤り検出率を測定し、これら測定したジッタ値及び誤り検出率を基に前記イコライザのカットオフ周波数を最適な値に設定するカットオフ周波数設定手段とを有し、
前記光ヘッドによる光ディスクからの情報の読取動作中に、所定アドレス分の情報を読取る毎に、
前記ディスク回転制御手段による光ディスクの回転がＣＬＶ回転の場合に、前記ブースト量設定手段によるブースト量の設定を行い、前記ディスク回転制御手段による光ディスクの回転がＣＡＶ回転の場合に、前記ブースト量設定手段によるブースト量の設定に加え、前記カットオフ周波数設定手段によるカットオフ周波数の設定を行うことを特徴とする光ディスク再生装置。
【請求項２】
光ディスクが装着され該光ディスクを回転させるスピンドルモータと、前記スピンドルモータにより回転される光ディスクに光を照射して該光ディスクからの反射光を受光することで光ディスクから情報を読取り、その受光強度に応じた電圧レベルの読取信号を出力する光ヘッドと、前記光ヘッドから出力される読取信号をブーストして該読取信号の波形を等化するイコライザと、前記イコライザにより波形が等化された後の読取信号のジッタ値を測定するジッタ値測定手段と、前記ジッタ値測定手段により測定したジッタ値を基に、前記イコライザのブースト量を可変設定するイコライザ設定手段とを備えた光ディスク再生装置において、
前記イコライザ設定手段は、前記光ヘッドによる光ディスクからの情報の読取動作中に、所定の間隔で、前記イコライザのブースト量を設定することを特徴とする光ディスク再生装置。
【請求項３】
前記イコライザは、前記光ヘッドから出力される読取信号をブーストすることに加え、該読取信号に含まれるノイズ周波数成分をカットオフして、該読取信号の信号波形を等化し、
前記イコライザ設定手段は、
前記光ヘッドによる光ディスクからの情報の読取動作中に、所定の間隔で、
前記ジッタ値測定手段により測定したジッタ値を基に、前記イコライザのブースト量に加え、前記イコライザのカットオフ周波数を設定する請求項２に記載の光ディスク再生装置。
【発明の詳細な説明】
【技術分野】
【０００１】
本発明は、例えばＣＤやＤＶＤ等の光ディスクから情報を再生する光ディスク再生装置に関するものである。
【背景技術】
【０００２】
従来から、光ディスク再生装置は、スピンドルモータにより光ディスクを高速で回転させながら、光ヘッドにより光ディスクに光を照射して光ディスクからの反射光を受光することにより、光ディスクに記録されている情報を読取るようになっている。光ディスクには、周囲と異なる光の反射を起こすピットの配列により情報が記録されており、光ヘッドは、受光強度すなわち光ディスクからの反射光強度に応じた電圧レベルの信号を読取信号として出力するようになっている。従って、光ヘッドの受光強度は、光ディスクが回転することでピットの有無に応じて変化し、光ヘッドから出力される読取信号は、高周波成分を持ったＲＦ（Radio Frequency）信号となる。
【０００３】
そして、光ディスク再生装置は、光ヘッドから出力される読取信号（ＲＦ信号）を復号処理して映像信号や音声信号を生成し、その映像信号及び音声信号をディスプレイ及びスピーカに出力することにより、光ディスクに記録されている映像や音声等の情報を再生するようになっている。このとき、光ディスク再生装置は、読取信号に含まれる誤りを検出して、その誤りを訂正し、訂正後の信号を復号処理して映像信号や音声信号を生成するようになっている。しかしながら、読取信号に含まれる誤りが多いと、情報の再生を安定して行うことができない。
【０００４】
そこで、このような光ディスク再生装置では、読取信号に含まれる誤りを減らすために、イコライザにより読取信号をブーストすると共に読取信号に含まれるノイズ周波数成分をカットオフして、読取信号の波形を等化する処理を行っている。
【０００５】
イコライザのブースト量及びカットオフ周波数の最適な値は、光ディスクの回転速度の違い、マウントバラツキ、光ディスクによる反射率の違い、チルトズレ、光ヘッドの発光強度や受光感度の違い等の条件により異なり、また、光ディスク上の位置によっても異なる。
【０００６】
従来の光ディスク再生装置では、イコライザのカットオフ周波数については、光ディスクの再生動作中に、再生速度に応じて可変設定するものや（例えば特許文献１参照）、光ディスクの再生開始前に、光ディスクの回転速度に応じて可変設定するもの（例えば特許文献２参照）、光ディスクの再生開始前に、光ヘッドから出力される読取信号のジッタ値を基に可変設定するものが知られている（例えば特許文献３参照）。また、イコライザのブースト量については、光ディスクの再生開始前に、光ヘッドから出力される読取信号のジッタ値を基に可変設定するものや（例えば特許文献１及び特許文献３参照）、光ディスクの再生開始前に、光ヘッドから出力される読取信号のエラー頻度を基に可変設定するものが知られている（例えば特許文献１参照）。
【特許文献１】特開平１０−２１４４５８号公報
【特許文献２】特開２００４−２２７６９７号公報
【特許文献３】特開２００２−８２４３号公報
【発明の開示】
【発明が解決しようとする課題】
【０００７】
ところが、上述した従来の光ディスク再生装置においては、イコライザのブースト量は、光ディスクの再生動作中すなわち光ヘッドによる光ディスクからの情報の読取動作中、一定の値に固定されている。このため、情報の読取動作中に、温度変化等により光ヘッドの発光強度や受光感度が変化したり、光ディスクの読取位置が変化して光ディスクの反射率が変化すると、イコライザのブースト量が最適な値からずれてしまい、光ヘッドから出力される読取信号をイコライザによって適切に波形等化することができなかった。
【０００８】
本発明は、上記課題を解決するためになされたものであり、イコライザによる読取信号の波形等化処理を最適化することができる光ディスク再生装置を提供することを目的とする。
【課題を解決するための手段】
【０００９】
上記目的を達成するために請求項１の発明は、光ディスクが装着され該光ディスクを回転させるスピンドルモータと、スピンドルモータにより回転される光ディスクに光を照射して該光ディスクからの反射光を受光することで光ディスクから情報を読取り、その受光強度に応じた電圧レベルの読取信号を出力する光ヘッドと、光ヘッドから出力される読取信号をブーストすると共に該読取信号に含まれるノイズ周波数成分をカットオフして該読取信号の波形を等化するイコライザと、イコライザにより波形が等化された後の読取信号に含まれる誤りを検出して、その誤りを訂正するエラー訂正手段と、イコライザにより波形が等化された後の読取信号のジッタ値を測定するジッタ値測定手段と、エラー訂正手段による誤り検出率を測定するエラーレート測定手段と、ジッタ値測定手段により測定したジッタ値及びエラーレート測定手段により測定した誤り検出率を基に、イコライザのブースト量及びカットオフ周波数を可変設定するイコライザ設定手段と、スピンドルモータによる光ディスクの回転が、光ディスクの光ヘッドによる情報読取位置での回転線速度が一定であるＣＬＶ回転、又は、光ディスクの回転角速度が一定であるＣＡＶ回転となるように制御するディスク回転制御手段とを備えた光ディスク再生装置において、イコライザ設定手段は、イコライザのブースト量を幾つかの値に変化させて、ジッタ値測定手段によりジッタ値を測定すると共にエラーレート測定手段により誤り検出率を測定し、これら測定したジッタ値及び誤り検出率を基にイコライザのブースト量を最適な値に設定するブースト量設定手段と、イコライザのカットオフ周波数を幾つかの値に変化させて、ジッタ値測定手段によりジッタ値を測定すると共にエラーレート測定手段により誤り検出率を測定し、これら測定したジッタ値及び誤り検出率を基にイコライザのカットオフ周波数を最適な値に設定するカットオフ周波数設定手段とを有し、光ヘッドによる光ディスクからの情報の読取動作中に、所定アドレス分の情報を読取る毎に、ディスク回転制御手段による光ディスクの回転がＣＬＶ回転の場合に、ブースト量設定手段によるブースト量の設定を行い、ディスク回転制御手段による光ディスクの回転がＣＡＶ回転の場合に、ブースト量設定手段によるブースト量の設定に加え、カットオフ周波数設定手段によるカットオフ周波数の設定を行うものである。
【００１０】
請求項２の発明は、光ディスクが装着され該光ディスクを回転させるスピンドルモータと、スピンドルモータにより回転される光ディスクに光を照射して該光ディスクからの反射光を受光することで光ディスクから情報を読取り、その受光強度に応じた電圧レベルの読取信号を出力する光ヘッドと、光ヘッドから出力される読取信号をブーストして該読取信号の波形を等化するイコライザと、イコライザにより波形が等化された後の読取信号のジッタ値を測定するジッタ値測定手段と、ジッタ値測定手段により測定したジッタ値を基に、イコライザのブースト量を可変設定するイコライザ設定手段とを備えた光ディスク再生装置において、イコライザ設定手段は、光ヘッドによる光ディスクからの情報の読取動作中に、所定の間隔で、イコライザのブースト量を設定するものである。
【００１１】
請求項３の発明は、請求項２に記載の光ディスク再生装置において、イコライザは、光ヘッドから出力される読取信号をブーストすることに加え、該読取信号に含まれるノイズ周波数成分をカットオフして、該読取信号の信号波形を等化し、イコライザ設定手段は、光ヘッドによる光ディスクからの情報の読取動作中に、所定の間隔で、ジッタ値測定手段により測定したジッタ値を基に、イコライザのブースト量に加え、イコライザのカットオフ周波数を設定するものである。
【発明の効果】
【００１２】
請求項１の発明によれば、イコライザのブースト量は、光ディスクが線速度一定のＣＬＶ回転又は角速度一定のＣＡＶ回転の何れで回転される場合でも、光ディスクからの情報の読取動作中に所定アドレス分の情報を読取る毎に、読取信号のジッタ値及び読取信号に含まれる誤りの比率を基に最適な値に可変設定される。従って、光ディスクがＣＬＶ回転又はＣＡＶ回転の何れで回転される場合でも、光ディスクの読取動作中に温度変化等により光ヘッドの発光強度や受光感度が変化したり、光ディスクの読取位置が変化して光ディスクの反射率が変化しても、イコライザのブースト量を最適な値に維持することが可能となり、リード品質を常に高品質に保つことができる。しかも、光ディスクがＣＡＶ回転される場合には、イコライザのカットオフ周波数も、光ディスクからの情報の読取動作中に所定アドレス分の情報を読取る毎に、読取信号のジッタ値及び読取信号に含まれる誤りの比率を基に最適な値に可変設定される。従って、光ディスクがＣＡＶ回転される場合に光ディスクの読取速度が変化して光ヘッドから出力される読取信号の周波数成分が変化しても、イコライザのカットオフ周波数を最適な値に維持することが可能となり、リード品質を常に高品質に保つことができる。
【００１３】
請求項２の発明によれば、イコライザのブースト量は、光ディスクからの情報の読取動作中に所定の間隔で、読取信号のジッタ値を基に可変設定される。従って、光ディスクの読取動作中に温度変化等により光ヘッドの発光強度や受光感度が変化したり、光ディスクの読取位置が変化して光ディスクの反射率が変化しても、イコライザのブースト量を最適な値に維持することが可能となり、リード品質を常に高品質に保つことができる。
【００１４】
請求項３の発明によれば、イコライザのカットオフ周波数も、光ディスクからの情報の読取動作中に所定の間隔で、読取信号のジッタ値を基に可変設定される。従って、光ディスクの読取速度が変化して光ヘッドから出力される読取信号の周波数成分が変化しても、イコライザのカットオフ周波数を最適な値に維持することが可能となり、リード品質を常に高品質に保つことができる。
【発明を実施するための最良の形態】
【００１５】
以下、本発明を具体化した実施形態による光ディスク再生装置について図面を参照して説明する。図１は、光ディスク再生装置の構成を示す。光ディスク再生装置１は、例えばＣＤやＤＶＤ等の光ディスク２から映像や音楽等の情報を再生する装置である。
【００１６】
光ディスク再生装置１は、光ディスク再生装置１を制御するためのＣＰＵ等からなる制御部１１と、スピンドルモータ１２と、シークモータ１３と、光ヘッド１４と、イコライザ１５と、復調処理部１６と、エラー訂正処理部１７と、復号処理部１８と、ジッタ値測定部１９と、ＢＬＥＲ（ブロックエラーレート）測定部２０と、リモコン２１と、リモコン受信部２２と、ＲＯＭ２３とを備える。
【００１７】
スピンドルモータ１２は、光ディスク２が装着され、制御部１１による制御のもと回転駆動されて、光ディスク２を回転させる。シークモータ１３は、リニアモータから成り、制御部１１による制御のもと、光ヘッド１４を光ディスク２の半径方向に移動（シーク動作）させる。
【００１８】
光ヘッド１４は、制御部１１による制御のもと、スピンドルモータ１２により回転される光ディスク２に光を照射し、その反射光を受光することで、光ディスク２に記録されている情報を読取る。光ヘッド１４は、受光強度すなわち光ディスク２からの反射光強度に応じた電圧レベルの信号を読取信号として制御部１１へ出力する。光ディスク２には、記録トラックが所定ピッチで同心円状又は渦巻状に形成されており、周囲と異なる光の反射を起こすピットが記録トラック上に配列されて情報が記録されている。従って、光ヘッド１４の受光強度は、光ディスク２が回転することでピットの有無に応じて変化し、光ヘッド１４から出力される読取信号は、高周波成分を持ったＲＦ（Radio Frequency）信号となる。
【００１９】
イコライザ１５は、光ヘッド１４から出力される読取信号をブーストすると共に、読取信号に含まれるノイズ周波数成分をカットオフして、読取信号の波形を等化する。イコライザ１５は、読取信号をブーストするブースト量、及び読取信号に含まれるノイズ周波数成分をカットオフするカットオフ周波数が、制御部１１による制御のもと、可変設定されるようになっている。ブースト量及びカットオフ周波数の可変設定の詳細については後述する。復調処理部１６は、イコライザ１５により波形が等化された後の読取信号を復調する。
【００２０】
エラー訂正処理部１７は、イコライザ１５により波形が等化され復調処理部１６にて復調された後の読取信号を検査し、その読取信号に含まれる誤りを検出して、その誤りを訂正する。復号処理部１８は、エラー訂正処理部１７により誤りが訂正された後の信号を基に、映像をディスプレイ（不図示）で再生するための映像信号、及び音声をスピーカ（不図示）で再生するための音声信号を生成する。復号処理部１８にて生成された映像信号及び音声信号は、信号出力端子１８ａを介してディスプレイ及びスピーカに出力され、これにより、光ディスク２に記録されている映像及び音声がディスプレイ及びスピーカにて再生される。
【００２１】
ジッタ値測定部１９は、イコライザ１５により波形が等化された後の読取信号のジッタ値を測定する。ＢＬＥＲ測定部２０は、エラー訂正処理部１７による読取信号の誤り検出率を測定する。光ディスク２の記録トラックは、多数のセクタにより構成されており、複数のセクタにより１つのブロックが構成されている。ＢＬＥＲ測定部２０は、ブロック単位での誤り検出率（ブロックエラーレート）を測定する。
【００２２】
リモコン２１は、光ディスク２からの情報の再生等、光ディスク再生装置１の各種動作を指示するためにユーザにより操作されるものである。リモコン２１は、光ディスク再生装置１の各種動作を指示するためにユーザに操作される各種操作キーを備えており、各種操作キーが操作されることにより、その操作に対応付けられた赤外線信号を送出する。リモコン受信部２２は、リモコン２１から送出される赤外線信号を受信して電気信号に変換し、リモコン２１の操作に対応する信号を制御部１１へ出力する。ＲＯＭ２３は、制御部１１の動作プログラムを格納している。
【００２３】
制御部１１は、リモコン受信部２２からの出力信号を基にリモコン２１の操作による指示内容を判断し、リモコン２１の操作に応じて、光ディスク２からの情報の再生動作等、光ディスク再生装置１の各種動作を制御する。光ディスク２からの情報の再生は、光ヘッド１４により光ディスク２から情報を読取り、光ヘッドから出力される読取信号をイコライザ１５にて波形等化処理した後に復調処理部１６にて復調し、エラー訂正処理部１７にて誤りを訂正した後に復号処理部１８にて映像信号及び音声信号を生成することにより行われる。光ヘッド１４による光ディスク２からの情報の読取は、スピンドルモータ１２により光ディスク２を回転させると共に、光ヘッド１４により光ディスク２に光を照射して反射光を受光することにより行われる。
【００２４】
制御部１１は、スピンドルモータ１２による光ディスク２の回転を制御するディスク回転制御部３１と、イコライザ１５のブースト量及びカットオフ周波数を可変設定するイコライザ設定部３２とを備える。
【００２５】
ディスク回転制御部３１は、光ヘッド１４による光ディスク２からの情報の読取動作において、光ディスク２の回転がＣＬＶ回転又はＣＡＶ回転となるように、スピンドルモータ１２による光ディスク２の回転を制御する。ＣＬＶ回転とは、光ディスク２の光ヘッド１４による情報読取位置での回転線速度を一定にする回転であり、ＣＡＶ回転とは、光ディスク２の回転角速度を一定にする回転である。読取動作における光ディスク２の回転方法は、光ディスク２に記録されている情報の記録形態等により、ＣＬＶ回転又はＣＡＶ回転の何れかに適宜選択される。ディスク回転制御部３１は、光ヘッド１４から出力される読取信号を基に光ディスク２の回転速度を検出して、ＣＬＶ回転又はＣＡＶ回転となるように光ディスク２の回転を制御する。
【００２６】
イコライザ設定部３２は、ジッタ値測定部１９により測定したジッタ値、及びＢＬＥＲ測定部２０により測定したブロックエラーレートを基に、イコライザ１５のブースト量及びカットオフ周波数を可変設定する。イコライザ設定部３２によるブースト量の設定は、イコライザ１５のブースト量を幾つかの値に変化させて、そのときにジッタ値測定部１９及びＢＬＥＲ測定部２０により測定されるジッタ値及びブロックエラーレートを基に、ジッタ値及びブロックエラーレートが最適となるブースト量に設定することにより行われる。また、イコライザ設定部３２によるカットオフ周波数の設定は、イコライザ１５のカットオフ周波数を幾つかの値に変化させて、そのときにジッタ値測定部１９及びＢＬＥＲ測定部２０により測定されるジッタ値及びブロックエラーレートを基に、ジッタ値及びブロックエラーレートが最適となるカットオフ周波数に設定することにより行われる。
【００２７】
イコライザ設定部３２は、これらブースト量及びカットオフ周波数の設定を、光ヘッド１４による光ディスク２からの情報の読取動作中に、所定の間隔で行う。光ディスク２の記録トラックを構成する各セクタには、各セクタを識別するアドレスがピットにより予め記録されている。イコライザ設定部３２は、光ヘッド１４から出力される読取信号を基に光ヘッド１４により情報を読取っているセクタのアドレスを検出して、光ヘッド１４により所定アドレス分の情報が読取られる毎に、ブースト量及びカットオフ周波数の設定を行う。イコライザ設定部３２は、光ディスク２の回転がＣＬＶ回転の場合は、ブースト量のみを可変設定し、光ディスク２の回転がＣＡＶ回転の場合は、ブースト量とカットオフ周波数の両方を可変設定する。
【００２８】
図２は、上記光ディスク再生装置１のイコライザ１５のブースト量及びカットオフ周波数の設定動作を含む光ディスク２からの情報読取動作のフローチャートを示す。制御部１１は、リモコン２１により再生開始指示がなされると（＃１でＹＥＳ）、スピンドルモータ１２により光ディスク２を回転させると共に、光ヘッド１４から光ディスク２に光を照射して、光ヘッド１４による光ディスク２からの情報の読取を開始する（＃２）。
【００２９】
そして、光ディスク２の回転がＣＬＶ回転の場合は（＃３でＹＥＳ）、制御部１１は、イコライザ１５のブースト量をデフォルト値にして、ジッタ値測定部１９にてジッタ値を測定すると共にＢＬＥＲ測定部２０にてブロックエラーレート（ＢＬＥＲ）を測定し、その測定値を記憶する（＃４）。続いて、制御部１１は、イコライザ１５のブースト量を幾つかの値に変化させて（例えば、デフォルト値から１〜２％ずつ３段階に増減させて）、ジッタ値測定部１９にてジッタ値を測定すると共にＢＬＥＲ測定部２０にてＢＬＥＲを測定し、それらの測定値を記憶する（＃５）。そして、制御部１１は、イコライザ１５のブースト量を、これら測定したジッタ値及びＢＬＥＲの中でジッタ値及びＢＬＥＲが最適となるときのブースト量に設定する（＃６）。これにより、イコライザ１５のブースト量が最適な値に設定される。
【００３０】
また、光ディスク２の回転がＣＬＶ回転でない、すなわちＣＡＶ回転の場合は（＃３でＮＯ）、制御部１１は、イコライザ１５のカットオフ周波数をデフォルト値にして、ジッタ値測定部１９にてジッタ値を測定すると共にＢＬＥＲ測定部２０にてＢＬＥＲを測定し、その測定値を記憶する（＃７）。続いて、制御部１１は、イコライザ１５のカットオフ周波数を幾つかの値に変化させて（例えば、デフォルト値から０．１〜０．２Ｈｚずつ３段階に増減させて）、ジッタ値測定部１９にてジッタ値を測定すると共にＢＬＥＲ測定部２０にてＢＬＥＲを測定し、それらの測定値を記憶する（＃８）。そして、制御部１１は、イコライザ１５のカットオフ周波数を、これら測定したジッタ値及びＢＬＥＲの中でジッタ値及びＢＬＥＲが最適となるときのカットオフ周波数に設定する（＃９）。これにより、イコライザ１５のカットオフ周波数が最適な値に設定される。その後、制御部１１は、上記＃４〜＃６の処理を行って、イコライザ１５のブースト量を最適な値に設定する。
【００３１】
上記＃６の処理の後、制御部１１は、光ディスク２からの情報の読取を継続し（＃１０）、光ディスク２から所定アドレス分（例えば１００００アドレス分）の情報を読取ると（＃１１でＹＥＳ）、上記＃３以降の処理を繰り返す。これにより、光ディスク２からの情報の読取動作中に所定アドレス分の情報を読取る毎に、光ディスク２の回転がＣＬＶ回転の場合に、ブースト量が最適な値に可変設定され、光ディスク２の回転がＣＡＶ回転の場合に、ブースト量に加え、カットオフ周波数が最適な値に可変設定される。
【００３２】
上記＃３から＃１１の処理が繰り返される中、光ディスク２から所定アドレス分の情報を読取られず（＃１１でＮＯ）、リモコン２１により再生停止指示がなされるか（＃１２でＹＥＳ）、光ディスク２から全ての情報の読取を完了すると（＃１３でＹＥＳ）、制御部１１は、光ディスク２からの情報の読取を終了する（＃１４）。
【００３３】
このような構成の光ディスク再生装置１によれば、イコライザ１５のブースト量は、光ディスク２が線速度一定のＣＬＶ回転又は角速度一定のＣＡＶ回転の何れで回転される場合でも、光ディスク２からの情報の読取動作中に所定アドレス分の情報を読取る毎に、読取信号のジッタ値及び読取信号に含まれる誤りの比率を基に最適な値に可変設定される。従って、光ディスク２がＣＬＶ回転又はＣＡＶ回転の何れで回転される場合でも、光ディスク２の読取動作中に温度変化等により光ヘッド１４の発光強度や受光感度が変化したり、光ディスク２の読取位置が変化して光ディスク２の反射率が変化しても、イコライザ１５のブースト量を最適な値に維持することが可能となり、リード品質を常に高品質に保つことができる。
【００３４】
しかも、光ディスク２がＣＡＶ回転される場合には、イコライザ１５のカットオフ周波数も、光ディスク２からの情報の読取動作中に所定アドレス分の情報を読取る毎に、読取信号のジッタ値及び読取信号に含まれる誤りの比率を基に最適な値に可変設定される。従って、光ディスク２がＣＡＶ回転される場合に光ディスク２の読取速度が変化して光ヘッド２から出力される読取信号の周波数成分が変化しても、イコライザ１５のカットオフ周波数を最適な値に維持することが可能となり、リード品質を常に高品質に保つことができる。
【００３５】
なお、本発明は、上記実施形態の構成に限られず、種々の変形が可能である。例えば、上記実施形態において、イコライザ１５のブースト量及びカットオフ周波数の可変設定は、光ディスク２から所定アドレス分の情報を読取る毎に限られず、例えば所定時間経過毎に、また光ヘッド移動距離毎に行うようにしてもよい。イコライザ１５のブースト量及びカットオフ周波数は、ジッタ値測定部１９にて測定されるジッタ値、又はＢＬＥＲ測定部２０にて測定されるブロックエラーレートの何れか一方に基づいて、可変設定するようにしてもよい。
【図面の簡単な説明】
【００３６】
【図１】本発明の一実施形態に係る光ディスク再生装置の概略構成を示す電気的ブロック構成図。
【図２】同光ディスク再生装置のイコライザのブースト量及びカットオフ周波数の設定動作を含む光ディスクからの情報読取動作を示すフローチャート。
【符号の説明】
【００３７】
１    光ディスク再生装置
２    光ディスク
１１    制御部
１２    スピンドルモータ
１３    シークモータ
１４    光ヘッド
１５    イコライザ
１６    復調処理部
１７    エラー訂正処理部
１８    復号処理部
１９    ジッタ値測定部
２０    ＢＬＥＲ測定部
２１    リモコン
３１    ディスク回転制御部
３２    イコライザ設定部
【図１】
2006236458.tif 000003
【図２】
2006236458.tif 000004